(57)【要約】【課題】戸当りから戸枠端部までの寸法が異なる種々の戸枠に対応可能なストライクを提供すること。【解決手段】戸先側の戸枠２の見込み面２０に設けられ、戸体３を閉じたときに戸体３の戸先に設けられたラッチボルト３０が係合することで戸体３が閉じた状態を保持するストライク１であって、見込み面２０に取り付けられる本体プレート１１と、本体プレート１１の略中央で戸枠２の内側に凹設されラッチボルト３０が係合する係合部としてのトロカバー１２と、を有するストライク本体１０と、本体プレート１１に重ねられて見込み方向にスライド可能に設けられる調整プレート１５と、を備え、調整プレート１５は、見込み方向の少なくとも一方側が開放された形状を有し、開放された部分が係合部に対して見込み方向にスライド可能とされることを特徴とするストライク１である。【選択図】図１
2015010398.tif 000002
【特許請求の範囲】
【請求項１】
戸先側の戸枠の見込み面に設けられ、戸体を閉じたときに当該戸体の戸先に設けられたラッチボルトが係合することで前記戸体が閉じた状態を保持するストライクであって、
前記見込み面に取り付けられる本体プレートと、当該本体プレートの略中央で戸枠の内側に凹設され前記ラッチボルトが係合する係合部と、を有するストライク本体と、
前記本体プレートに重ねられて見込み方向にスライド可能に設けられる調整プレートと、を備え、
前記調整プレートは、見込み方向の少なくとも一方側が開放された形状を有し、当該開放された部分が前記係合部に対して見込み方向にスライド可能とされることを特徴とするストライク。
【請求項２】
前記本体プレートには、見込み方向に延びる長孔が形成され、
前記調整プレートには、前記本体プレート側に突設されて前記長孔にスライド可能に係合する突起部が形成されることを特徴とする請求項１記載のストライク。
【請求項３】
前記調整プレートは、見込み方向の寸法が異なる複数の調整プレートと交換可能に設けられることを特徴とする請求項１又は２記載のストライク。
【請求項４】
前記調整プレートの戸当り側とは反対側の端部には、前記戸枠側に屈曲されたリップ部が形成されることを特徴とする請求項１から３いずれかに記載のストライク。
【請求項５】
前記本体プレートは、戸当り側の端部が前記戸当りに当接していることを特徴とする請求項１から４いずれかに記載のストライク。
【発明の詳細な説明】
【技術分野】
【０００１】
本発明は、ストライクに関する。より詳しくは、戸先側の戸枠の見込み面に設けられ、戸体の戸先に設けられたラッチボルトが係合することで戸体が閉じた状態を保持するストライクに関する。
【背景技術】
【０００２】
従来、開き戸等の戸体には、戸先側の縦框にラッチ機構が設けられる。ラッチ機構は、戸先側の縦框に設けられたハンドルを回動操作することで、縦框の見込み面から突没するラッチボルトを備える。
一方、戸先側の戸枠には、見込み面にストライクが設けられる。ストライクは、凹設されてラッチボルトが係合する係合部を有するストライク本体と、この係合部の表面に設けられるプレートと、を備える。
従って、戸体を閉じると、ラッチボルトがプレートの表面を摺動して係合部に係合することで、戸体が閉じた状態が保持される。
【０００３】
しかしながら、製造誤差や取り付け誤差の他、経年劣化により生ずる蝶番の変形や戸体の歪みによって、ラッチボルトが係合部に係合し難くなる場合がある。そこで、係合部の戸枠に対する見込み方向の位置を調整可能なストライクが提案されている（例えば、特許文献１参照）。また、矩形状の開口を有する調製板を係合部の開口に重ね合わせ、この調整板を見込み方向にスライドさせることで、その開口位置を調整可能なストライクが提案されている（例えば、特許文献２〜４参照）。
【先行技術文献】
【特許文献】
【０００４】
【特許文献１】特開平９−１５８５５３号公報
【特許文献２】実開平３−１２９６７号公報
【特許文献３】実開平３−１３０８６９号公報
【特許文献４】実開昭５９−９４５５７号公報
【発明の概要】
【発明が解決しようとする課題】
【０００５】
ところで、建物のリフォーム現場では、既設の戸枠に新たなストライクを取り付ける場合がある。このとき、既設の戸枠は、見込み方向の寸法、即ち戸当りから戸枠端部までの寸法が様々である。しかしながら、従来のストライクでは、係合部の見込み方向の位置は調整できるものの、係合部と独立してプレートの見込み方向の位置を調整できないため、既設の戸枠に十分に対応できないという課題がある。特に、戸体が開く側の戸枠端部までプレートを適切に配置できない場合には、ラッチボルトが戸枠端部に直接当接してしまうおそれがあるため、上記課題は解決すべき重要課題である。
【０００６】
本発明は上記に鑑みてなされたものであり、その目的は、戸当りから戸枠端部までの寸法が異なる種々の戸枠に対応可能なストライクを提供することにある。
【課題を解決するための手段】
【０００７】
上記目的を達成するため、戸先側の戸枠（例えば、後述の戸枠２）の見込み面（例えば、後述の見込み面２０）に設けられ、戸体（例えば、後述の戸体３）を閉じたときに当該戸体の戸先に設けられたラッチボルト（例えば、後述のラッチボルト３０）が係合することで前記戸体が閉じた状態を保持するストライクであって、前記見込み面に取り付けられる本体プレート（例えば、後述の本体プレート１１）と、当該本体プレートの略中央で戸枠の内側に凹設され前記ラッチボルトが係合する係合部（例えば、後述のトロカバー１２）と、を有するストライク本体（例えば、後述のストライク本体１０）と、前記本体プレートに重ねられて見込み方向にスライド可能に設けられる調整プレート（例えば、後述の調整プレート１５）と、を備え、前記調整プレートは、見込み方向の少なくとも一方側が開放された形状（例えば、後述の切り欠き１５０）を有し、当該開放された部分が前記係合部に対して見込み方向にスライド可能とされることを特徴とするストライク（例えば、後述のストライク１）を提供する。
【０００８】
この発明では、本体プレートに重ねられて見込み方向にスライド可能な調整プレートを設ける。また、調整プレートを、見込み方向の少なくとも一方側が開放された形状とするとともに、当該開放された部分を係合部に対して見込み方向にスライド可能とする。
この発明によれば、見込方向の一方側が開放された形状の調整プレートを見込み方向にスライドさせることで、当該開放された部分が係合部に対して見込み方向にスライド可能とされる。これにより、係合部の開口位置を維持しつつ、係合部と独立して、調整プレートの見込み方向の位置を調整できる。従って、係合部の見込み方向の位置と調整プレートの見込み方向の位置を個別に調整できるため、戸当りから戸枠端部までの寸法が異なる種々の戸枠に対応できる。特に、戸体が開く側の戸枠端部まで調整プレートを適切な位置に配置できるため、ラッチボルトが戸枠端部に直接当接してしまうのを回避できる。
【０００９】
前記本体プレートには、見込み方向に延びる長孔（例えば、後述の長孔１１２，１１２）が形成され、前記調整プレートには、前記本体プレート側に突設されて前記長孔にスライド可能に係合する突起部（例えば、後述の突起部１５１，１５１）が形成されることが好ましい。
【００１０】
この発明では、本体プレートに、見込み方向に延びる長孔を形成する。また、調整プレートに、本体プレート側に突設されて長孔にスライド可能に係合する突起部を形成する。
この発明によれば、長孔に突起部を係合させることで、調整プレートを見込み方向に確実にスライドさせることができるため、上記発明の効果がより確実に得られる。
【００１１】
前記調整プレートは、見込み方向の寸法が異なる複数の調整プレートと交換可能に設けられることが好ましい。
【００１２】
この発明では、調整プレートを、見込み方向の寸法が異なる複数の調整プレートと交換可能とする。
この発明によれば、戸当りから戸枠端部までの寸法に応じて、調整プレートを、見込み方向の寸法が異なる他の調整プレートと交換できる。従って、調整プレートの見込み方向の位置の調整可能範囲を拡大できるため、戸当りから戸枠端部までの寸法が異なる種々の戸枠に十分に対応できる。
【００１３】
前記調整プレートの戸当り（例えば、後述の戸当り２１）側とは反対側の端部には、前記戸枠側に屈曲されたリップ部（例えば、後述のリップ部１５２）が形成されることが好ましい。
【００１４】
この発明では、調整プレートの戸当り側とは反対側の端部を、戸枠側に屈曲することでリップ部を形成する。
ここで、リップ部は、戸体が開く側の戸枠端部から見込み方向に適度に突出して配置されるのが好ましく、これにより、ラッチボルトがスムーズにプレート上を摺動し、係合部へと導かれる。これに対して、この発明によれば、上述したように調整プレートを見込み方向にスライドさせることで、戸体が開く側の戸枠端部まで調整プレートを適切な位置に配置できる。従って、戸体が開く側の戸枠端部からのリップ部の突出度合を調整できるため、上記効果が確実に得られる。
【００１５】
前記本体プレートは、戸当り側の端部が前記戸当りに当接していることが好ましい。
【００１６】
この発明では、本体プレートの戸当り側の端部を戸当りに当接させた状態で、ストライクを取り付ける。
この発明によれば、本体プレートの戸当り側の端部を戸当りに当接させ、この状態で、ストライクを戸枠の見込み面に取り付ける。これにより、戸枠に対するストライクの取り付け位置出しが容易となるため、取り付け作業が簡易となり、作業性が向上する。また、戸当りから係合部までの距離を常に一定とすることができる。
【発明の効果】
【００１７】
本発明によれば、戸当りから戸枠端部までの寸法が異なる種々の戸枠に対応可能なストライクを提供できる。
【図面の簡単な説明】
【００１８】
【図１】本発明の一実施形態に係るストライクの分解斜視図である。
【図２】建具に取り付けられた上記実施形態に係るストライクを吊元側から見た図である。
【図３】建具に取り付けられた上記実施形態に係るストライクにラッチボルトが係合したときの状態を示す横断面図である。
【図４】上記実施形態に係るストライクの調整プレートを見込み方向にスライドさせたときの様子を示す図であり、（ａ）がスライドさせる前の図であり、（ｂ）がスライドさせた後の図である。
【図５】上記実施形態に係るストライクが適用された建具の横断面図である。
【図６】上記実施形態に係るストライクが適用された建具に取り付けられた蝶番の構成を示す図である。
【発明を実施するための形態】
【００１９】
以下、本発明の実施形態について、図面を参照しながら詳細に説明する。
図１は、本発明の一実施形態に係るストライク１の分解斜視図である。また、図２は、建具を構成する戸枠２に取り付けられたストライク１を吊元側から見た図である。ストライク１は、開き戸で構成された戸体と、蝶番を介して戸体を開閉可能に支持する戸枠２と、で構成された建具に適用される。ストライク１は、金属製の部材で構成され、戸先側の戸枠２の見込み面２０に設けられる。ストライク１は、戸体を閉じたときに、戸体の戸先に設けられたラッチボルトが係合することで、戸体が閉じた状態を保持する。
【００２０】
図１に示すように、ストライク１は、ストライク本体１０と、調整プレート１５と、を備える。これらストライク本体１０と調整プレート１５は、互いに一体化され、調整プレート１５が戸体に対向し且つ後述する調整プレート１５のリップ部１５２が戸体の開く側に向くようにして、戸先側の戸枠２の見込み面２０に取り付けられる。
【００２１】
ストライク本体１０は、本体プレート１１と、係合部としてのトロカバー１２と、を備える。
本体プレート１１は、見込み方向よりも上下方向に長い略矩形状の板状部材で構成される。本体プレート１１の略中央部には、見込み方向よりも上下方向に長い略矩形状の矩形開孔１１１が形成される。この矩形開孔１１１は、ラッチボルトが挿通可能な大きさに設定される。
【００２２】
本体プレート１１の上端部及び下端部には、見込み方向に延びる一対の長孔１１２，１１２が形成される。これら一対の長孔１１２，１１２は、後述する調整プレート１５に形成された一対の突起部１５１，１５１がそれぞれスライド可能に係合できるような幅に設定される。
【００２３】
本体プレート１１の矩形開孔１１１と一対の長孔１１２，１１２との間には、後述するブラケット１４側に円筒状に突出する係止部１１３，１１３が形成される。これら係止部１１３，１１３は、ブラケット１４のフランジ部１４０，１４０に形成された係止孔１４６，１４６に係止されることで、ブラケット１４が本体プレート１１に固定される。
【００２４】
なお、図２に示すように、円筒状に形成された係止部１１３，１１３の中空部には、ねじ１１４，１１４が取り付けられる。これらのねじ１１４，１１４により、ストライク本体１０は戸枠２の見込み面２０にねじ止めされる。より詳しくは、ストライク本体１０は、本体プレート１１の戸当り２１側の端部が戸当り２１に当接した状態で、戸枠２の見込み面にねじ止めされる。
【００２５】
係合部は、本体プレート１１の略中央において、戸枠２の内側に凹設されることで形成される。本実施形態では、トロカバー１２により係合部が形成される。
トロカバー１２は、見込み方向よりも上下方向に長い略直方体の箱状部材で構成される。トロカバー１２は、本体プレート１１側が開口されており、ラッチボルトを収容可能な大きさに設定される。トロカバー１２の見込み方向の開口縁には、フランジ１２５，１２５が形成される。トロカバー１２は、これらフランジ１２５，１２５が本体プレート１１に当接した状態で、本体プレート１１と当該本体プレート１１に固定されるブラケット１４との間で挟持されることにより、本体プレート１１に取り付けられる。
【００２６】
ブラケット１４は、見込み方向よりも上下方向に長い略直方体の箱状部材で構成される。ブラケット１４の上面部１４１及び下面部１４２間の寸法は、トロカバー１２の上面部１２１及び下面部１２２との間に僅かな隙間が形成される程度の大きさに設定される。また、ブラケット１４の両側面部１４３，１４４間の寸法は、トロカバー１２の両側面部１２３，１２４との間に大きな隙間が形成される大きさに設定される。ブラケット１４の上面部１４１のトロカバー１２側の端縁と、下面部１４２のトロカバー１２側の端縁には、係止孔１４６が形成されたフランジ部１４０がそれぞれ設けられる。
【００２７】
トロカバー１２の背面部１２６とブラケット１４の背面部１４５との間には、偏芯カム１３が設けられる。偏芯カム１３は、その重心部分に円形状の円形開孔１３０が形成される。この円形開孔１３０のブラケット１４側には、ブラケット１４の背面部１４５内側に形成された円柱状の凸部１４７が回転可能な状態で係合する。また、円形開孔１３０のトロカバー１２側には、トロカバー１２の内側から、背面部１２６の略中央に形成された開孔部１３２に挿通されたねじ１３１の先端が嵌合する。なお、偏芯カム１３は、ねじ１３１により偏芯カム１３を回転させると、偏芯カム１３の大径部分がブラケット１４の側面部１４３又は側面部１４４に当接する大きさに設定される。
【００２８】
上記の構成により、ドライバでねじ１３１を戸当り２１側（図１及び図２では右回り）に回転させると、偏芯カム１３がブラケット１４の戸当り２１側の側面部１４４に当接することで、トロカバー１２は戸体が開く側にスライド移動する。一方、ドライバでねじ１３１を戸体が開く側（図１及び図２では左回り）に回転させると、偏芯カム１３がブラケット１４の戸体が開く側の側面部１４３に当接することで、トロカバー１２は戸当り２１側にスライド移動する。以上により、トロカバー１２の見込み方向の位置が調整される。
【００２９】
調整プレート１５は、本体プレート１１に重ねられて設けられる。より詳しくは、調整プレート１５は、本体プレート１１の係合部としてのトロカバー１２とは反対側に重ねられて設けられる。調整プレート１５は、見込み方向の一方側、本実施形態では戸当り２１側の上下方向中央部分が開放された形状を有する。より詳しくは、調整プレート１５は、戸当り２１側に略矩形状の切り欠き１５０が形成された略コ字状の板状部材で構成される。
【００３０】
切り欠き１５０の上下方向の寸法は、本体プレート１１の矩形開孔１１１の上下方向の寸法とほぼ同等に設定される。また、切り欠き１５０の見込み方向の寸法は、調整プレート１５が最も戸当り２１側までスライドしたときに、本体プレート１１の矩形開孔１１１と重ならない範囲で設定される。
【００３１】
調整プレート１５の上端部及び下端部には、本体プレート１１側に円筒状に突出する一対の突起部１５１，１５１が形成される。これら一対の突起部１５１，１５１は、上述した一対の長孔１１２，１１２に見込み方向にスライド可能に係合する。これにより、調整プレート１５は見込み方向にスライド可能となっており、調整プレート１５の見込み方向の位置の調整が可能となっている。また、調整プレート１５がストライク本体１０の係合部（トロカバー１２）に対して見込み方向にスライドすることで、調整プレート１５の開放された部分、即ち切り欠き１５０が係合部（トロカバー１２）に対して見込み方向にスライド可能となっている。
【００３２】
なお、図２に示すように、調整プレート１５をスライドさせて見込み方向の位置が調整された後は、円筒状に形成された突起部１５１，１５１の中空部に、ねじ１５３，１５３が取り付けられる。これらのねじ１５３，１５３により、ストライク本体１０及び調整プレート１５が戸枠２の見込み面２０にねじ止めされる。
【００３３】
調整プレート１５は、戸当り２１側とは反対側（戸体が開く側）の戸枠端部２２に、戸枠２側に緩やかに屈曲されて形成されたリップ部１５２を備える。上述したように、調整プレート１５の見込み方向の位置を調整することで、リップ部１５２は、戸体が開く側の戸枠端部２２から適度に突出した位置に配置される。これにより、ラッチボルトが、スムーズに調整プレート１５上を摺動し、係合部のトロカバー１２内へと導かれる。また、リップ部１５２により、ラッチボルトが戸枠端部２２に当たって劣化するのが防止される。
【００３４】
調整プレート１５は、見込み方向の寸法が異なる複数の調整プレートと交換可能となっている。例えば、見込み方向の寸法が異なる３種類の調整プレートを備えることで、戸枠２の戸当り２１から戸枠端部２２までの寸法が大きく異なる場合であっても、その寸法に応じて、３種類の調整プレートを適宜選択することで対応可能となっている。
【００３５】
なお、複数の調整プレートはいずれも、一対の突起部１５１，１５１から戸当り２１側の端部までの距離が、本体プレート１１における長孔１１２，１１２から戸当り２１側の端部までの距離と同一に設定される。これにより、長孔１１２，１１２の長さにより決定されるスライド可能範囲を最大限利用できる。
【００３６】
以上の構成を備えるストライク１の動作について、図３を参照して説明する。
図３は、建具に取り付けられたストライク１にラッチボルト３０が係合したときの状態を示す横断面図である。
先ず、戸体３が開いた状態では、戸先側の縦框に設けられたラッチ機構内のばねの力により、ラッチボルト３０は縦框の見込み面から突出している。なお、ラッチボルト３０は、ラッチボルト３０の先端に向かうに従い、戸体３が開く側に傾斜する傾斜面３１を戸当り２１側に備えている。
【００３７】
次いで、戸体３を閉め始めると、ストライク１のリップ部１５２にラッチボルト３０の傾斜面３１が当接する。すると、ラッチボルト３０はばねの力に抗して戸先側の縦框側に押し戻されるとともに、ラッチボルト３０の先端が調整プレート１５の表面を摺動する。
【００３８】
次いで、完全に戸体３が閉まると、ストライク１の係合部としてのトロカバー１２内にラッチボルト３０が滑り込んで係合する。これにより、戸体３が閉じた状態が保持される。
【００３９】
また、戸体３を開くときには、戸体３の戸先側の縦框に設けられた図示しないハンドルを回動操作する。すると、ハンドルの回動に連動してラッチボルト３０が戸先側の縦框内に引き戻されることで、トロカバー１２とラッチボルト３０の係合が解除される。これにより、戸体３が開放される。
【００４０】
次に、本実施形態に係るストライク１の施工方法について、図４を参照して説明する。
図４は、ストライク１の調整プレート１５を見込み方向にスライドさせたときの様子を示す図であり、（ａ）がスライドさせる前の図であり、（ｂ）がスライドさせた後の図である。
図４（ａ）に示すように、先ず、本体プレート１１、トロカバー１２、偏芯カム１３及びブラケット１４を組付けて形成されたストライク本体１０を、戸枠２の見込み面２０にねじ１１４，１１４でねじ止めする。このとき、本体プレート１１の戸当り２１側の端部を戸当り２１に当接させた状態で、ストライク本体１０を見込み面２０にねじ止めする。
【００４１】
次いで、本体プレート１１の長孔１１２，１１２に、調整プレート１５の突起部１５１，１５１を係合させる。このとき、一対の突起部１５１，１５１から戸当り２１側の端部までの距離は、長孔１１２，１１２から戸当り２１側の端部までの距離と同一に設定されているため、突起部１５１，１５１を長孔１１２，１１２の戸当り２１側の端部に当接させると、調整プレート１５の戸当り２１側の端部が戸当り２１に当接する。
【００４２】
次いで、図４（ｂ）に示すように、調整プレート１５を戸当り２１とは反対側、即ち戸体３が開く側にスライド移動させる。このとき、調整プレート１５の戸体３が開く側の端部に形成されたリップ部１５２が、戸枠端部２２から適度に突出する位置まで、調整プレート１５をスライド移動させる。
【００４３】
リップ部１５２が戸枠端部２２から適度に突出する位置まで調整プレート１５をスライド移動させた後、ねじ１５３，１５３により、ストライク本体１０とともに調整プレート１５を戸枠２の見込み面２０にねじ止めする。
以上により、ストライク１が戸枠２の見込み面２０に取り付けられる。
【００４４】
次に、本実施形態に係るストライク１が適用された建具５に取り付けられた蝶番７について、図５及び図６を参照して説明する。
図５は、ストライク１が適用された建具５の横断面図である。図６は、ストライク１が適用された建具５に取り付けられた蝶番７の構成を示す図である。より詳しくは、図６は、建具５の吊元側の横断面図と、戸体３が開いたときの蝶番７を戸先側から見た図とを便宜上合わせて示した図である。
図５及び図６に示すように、建具５は、開き戸で構成された戸体３と、蝶番７を介して戸体３を開閉可能に支持する戸枠２，２と、で構成される。戸枠２，２は、それぞれ躯体９，９に取り付けられている。
【００４５】
蝶番７は、位置調整機能付きの旗蝶番である。蝶番７は、建具５の吊元側の上下に２組設けられる。図６では、そのうちの一つの蝶番７を示している。
図６に示すように、蝶番７は、戸体３側に取り付けられる戸体側ヒンジ部材７１と、戸枠２に取り付けられる戸枠側ヒンジ部材７２と、を備える。
【００４６】
戸体側ヒンジ部材７１は、堀り込み加工が必要な位置調整機能付きヒンジ部材である。一方、戸枠側ヒンジ部材７２は、堀り込み加工が不要な位置調整機能を有さないヒンジ部材である。これにより、工場にて戸体３に掘り込み加工を予め施せばよく、リフォーム現場にて戸枠２に掘り込み加工を施す必要が無くなる。このようにして予め掘り込み加工がなされた戸体３に対して、リフォーム現場にて蝶番７が取り付けられる。
【００４７】
戸体側ヒンジ部材７１は、戸体側羽根部材７１１と、位置調整プレート７１２と、軸部７１３と、を含んで構成される。
位置調整プレート７１２は、戸体３の吊元側の見込み面に掘り込み加工により取り付けられ、固定ピン７１２Ａ，７１２Ａにより戸体３の吊元側の見込み面に固定される。位置調整プレート７１２の上下方向の略中央には、見込み方向（図６の右側）に延びる切り欠き部７１２Ｂと、上下方向に延びる長孔部７１２Ｃとが形成される。
【００４８】
戸体側羽根部材７１１の基端部７１１Ａは、軸部７１３を、所定のクリアランスを有して挿通可能な円筒状に形成される。基端部７１１Ａから延出される戸体側羽根部７１１Ｂは、略矩形状の板状部材で構成される。戸体側羽根部７１１Ｂは、ねじ７１１Ｅ，７１１Ｅにより、位置調整プレート７１２に取り付けられる。戸体側羽根部７１１Ｂの先端側には、位置調整プレート７１２に形成された切り欠き部７１２Ｂに係合する位置調整ねじ７１１Ｃと、位置調整プレート７１２に形成された長孔部７１２Ｃに係合する位置調整ねじ７１１Ｄと、が取り付けられる。
【００４９】
位置調整ねじ７１１Ｃをドライバで回転させることで、戸体３に固定された位置調整プレート７１２に対する見込み方向の位置が調整される。一方、位置調整ねじ７１１Ｄをドライバで回転させることで、戸体３に固定された位置調整プレート７１２に対する上下方向の位置が調整される。位置の調整により生ずる位置ずれ分は、軸部７１３が挿通された戸体側羽根部材７１１の基端部７１１Ａ内における軸部７１３との間のクリアランスにより吸収される。
【００５０】
戸枠側ヒンジ部材７２は、上述したように、位置調整機能を有さないヒンジ部材である。戸枠側ヒンジ部材７２は、戸枠２に対して堀り込み加工が不要であり、戸枠２の見込み面に面付けされる。戸枠側ヒンジ部材７２は、戸枠側羽根部材７２１と、軸受け部７２２と、を含んで構成される。
【００５１】
戸枠側羽根部材７２１の基端部７２１Ａは、軸受け部７２２に連結される。軸受け部７２２には、上述の軸部７１３が挿通され、この軸部７１３を回動可能に支持する。基端部７２１Ａから延出される戸枠側羽根部７２１Ｂは、略矩形状の板状部材で構成される。
【００５２】
ここで、本実施形態の戸枠側羽根部７２１Ｂは、見込み方向の羽根の長さ、即ち羽根の延出長さが従来よりも大きく設定される。そのため、図６に示すように、戸枠側羽根部７２１Ｂの先端は、戸当り２１に形成された切り欠き２１１内に挿入される。また、これにより、戸枠側羽根部７２１Ｂの先端は、見込み方向において躯体９の位置にまで達する。そのため、戸枠側羽根部７２１Ｂの先端は、躯体にまで達する長さの４つの躯体固定用ねじ７２１Ｃにより、戸枠２とともに躯体９にねじ止めされる。従って、躯体９に固定されることで、例えば戸枠２が腐食していた場合であっても、戸体３を確実に支持できる。
【００５３】
また、４つの躯体固定用ねじ７２１Ｃに加えて、戸枠端部２２側の位置に３つの戸枠固定用ねじ７２１Ｄが取り付けられ、これら戸枠固定用ねじ７２１Ｄにより、戸枠側羽根部７２１Ｂは戸枠２にねじ止めされる。これにより、戸枠側羽根部７２１Ｂの羽根の長さを長くしたことで生じる蝶番７の撓みを抑制できる。
【００５４】
本実施形態に係るストライク１によれば、以下の効果が奏される。
本実施形態では、本体プレート１１に重ねられて見込み方向にスライド可能な調整プレート１５を設けた。また、調整プレート１５を、見込み方向の少なくとも一方側が開放された切り欠き１５０形状とするとともに、切り欠き１５０を係合部に対して見込み方向にスライド可能とした。
本実施形態によれば、見込方向の一方側が開放された切り欠き１５０形状の調整プレート１５を見込み方向にスライドさせることで、切り欠き１５０が係合部に対して見込み方向にスライド可能とされる。これにより、係合部の開口位置を維持しつつ、係合部と独立して、調整プレート１５の見込み方向の位置を調整できる。従って、係合部の見込み方向の位置と調整プレート１５の見込み方向の位置を個別に調整できるため、戸当り２１から戸枠端部２２までの寸法が異なる種々の戸枠２に対応できる。特に、戸体３が開く側の戸枠端部２２まで調整プレート１５を適切な位置に配置できるため、ラッチボルト３０が戸枠端部２２に直接当接してしまうのを回避できる。
【００５５】
本実施形態では、本体プレート１１に、見込み方向に延びる長孔１１２，１１２を形成した。また、調整プレート１５に、本体プレート１１側に突設されて長孔１１２，１１２にスライド可能に係合する突起部１５１，１５１を形成した。
本実施形態によれば、長孔１１２，１１２に突起部１５１，１５１を係合させることで、調整プレート１５を見込み方向に確実にスライドさせることができるため、上記効果がより確実に得られる。
【００５６】
本実施形態では、調整プレート１５を、見込み方向の寸法が異なる複数の調整プレートと交換可能とした。
本実施形態によれば、戸当り２１から戸枠端部２２までの寸法に応じて、調整プレート１５を、見込み方向の寸法が異なる他の調整プレート１５と交換できる。従って、調整プレート１５の見込み方向の位置の調整可能範囲を拡大できるため、戸当り２１から戸枠端部２２までの寸法が異なる種々の戸枠２に十分に対応できる。
【００５７】
本実施形態では、調整プレート１５の戸当り２１側とは反対側の端部を、戸枠２側に屈曲することでリップ部１５２を形成した。
ここで、リップ部は、戸体が開く側の戸枠端部２２から見込み方向に適度に突出して配置されるのが好ましく、これにより、ラッチボルトがスムーズに（調整）プレート上を摺動し、係合部へと導かれる。これに対して、本実施形態によれば、上述したように調整プレート１５を見込み方向にスライドさせることで、戸体３が開く側の戸枠端部２２まで調整プレート１５を適切な位置に配置できる。従って、戸体３が開く側の戸枠端部２２からのリップ部１５２の突出度合を調整できるため、上記効果が確実に得られる。
【００５８】
本実施形態では、本体プレート１１の戸当り２１側の端部を戸当り２１に当接させた状態で、ストライク１を取り付けた。
本実施形態によれば、本体プレート１１の戸当り２１側の端部を戸当り２１に当接させ、この状態で、ストライク１を戸枠２の見込み面２０に取り付ける。これにより、戸枠２に対するストライク１の取り付け位置出しが容易となるため、取り付け作業が簡易となり、作業性が向上する。また、戸当り２１から係合部までの距離を常に一定とすることができる。
【００５９】
なお、本発明は上記実施形態に限定されるものではなく、本発明の目的を達成できる範囲での変形、改良等は本発明に含まれる。
上記実施形態では、調整プレート１５を略コ字状の板状部材で構成したが、これに限定されない。見込み方向の少なくとも一方側が開放された形状であればよい。
【符号の説明】
【００６０】
１…ストライク
２…戸枠
３…戸体
１０…ストライク本体
１１…本体プレート
１２…トロカバー（係合部）
１５…調整プレート
２１…戸当り
３０…ラッチボルト
１１２…長孔
１５０…切り欠き（一方側が開放された形状）
１５１…突起部
１５２…リップ部
【図１】
2015010398.tif 000003
【図２】
2015010398.tif 000004
【図３】
2015010398.tif 000005
【図４】
2015010398.tif 000006
【図５】
2015010398.tif 000007
【図６】
2015010398.tif 000008